(57)【要約】【課題】  開封し易く、かつ錠剤またはカプセル剤を取り出し易い包装体を提供する。【解決手段】  本発明に係る包装体は、二枚のシートをシールして構成された包装体であって、錠剤またはカプセル剤を収容する収容部と、前記収容部を囲むシール部と、前記収容部を横断する開封補助線と、を備え、前記開封補助線が前記収容部と前記シール部との境界線と交差する二点を結ぶ仮想線は、前記錠剤または前記カプセル剤と重なっており、前記開封補助線は、前記錠剤または前記カプセル剤との接触を緩和するように迂回する迂回部を有している。【選択図】図１
2020001714.tif 000002
【特許請求の範囲】
【請求項１】
二枚のシートをシールして構成された包装体であって、
錠剤またはカプセル剤を収容する収容部と、
前記収容部を囲むシール部と、
前記収容部を横断する開封補助線と、を備え、
前記開封補助線が前記収容部と前記シール部との境界線と交差する二点を結ぶ仮想線は、前記錠剤または前記カプセル剤と重なっており、
前記開封補助線は、前記錠剤または前記カプセル剤との接触を緩和するように迂回する迂回部を有している、
包装体。
【請求項２】
前記仮想線は、前記錠剤または前記カプセル剤の中央部を通っており、
前記迂回部は、前記錠剤または前記カプセル剤の中央部を通っていない、
請求項１に記載の包装体。
【請求項３】
前記開封補助線は、前記錠剤または前記カプセル剤と接触していない、
請求項１または２に記載の包装体。
【請求項４】
前記収容部は、前記シートの上方から見た形状が円形状となっている、
請求項１乃至３のいずれか１項に記載の包装体。
【発明の詳細な説明】
【技術分野】
【０００１】
本発明は、二枚のシートをシールして構成された包装体に関する。
【背景技術】
【０００２】
二枚のシートをシールして構成された包装体として、錠剤を収容する収容部と、該収容部を直線状に横断する開封補助線とを備えたものが知られている（例えば、特許文献１）。
【先行技術文献】
【特許文献】
【０００３】
【特許文献１】実公昭３９−６０７３号公報
【発明の概要】
【発明が解決しようとする課題】
【０００４】
特許文献１の包装体では、前記錠剤は前記収容部の中央部に収容されている。前記開封補助線が、前記収容部の中央部を横断するように備えられると、前記開封補助線に沿った前記包装体の開封時に、前記錠剤によって前記包装体の開封が阻害され、開封しづらいものである。そのため、前記開封補助線は、前記収容部の端部を横断するように備える必要がある。
【０００５】
しかしながら、前記開封補助線を前記収容部の端部を横断するように備えた場合、前記包装体の開封後に、前記錠剤を前記収容部の端部まで移動させる必要があり、前記錠剤を取り出し難いという問題がある。このような問題は、前記収容部にカプセル剤が収容されている場合にも生じ得る。
【０００６】
このような問題点に鑑み、本発明は、開封し易く、かつ錠剤またはカプセル剤を取り出し易い包装体を提供することを課題とする。
【課題を解決するための手段】
【０００７】
本発明に係る包装体は、
二枚のシートをシールして構成された包装体であって、
錠剤またはカプセル剤を収容する収容部と、
前記収容部を囲むシール部と、
前記収容部を横断する開封補助線と、を備え、
前記開封補助線が前記収容部と前記シール部との境界線と交差する二点を結ぶ仮想線は、前記錠剤または前記カプセル剤と重なっており、
前記開封補助線は、前記錠剤または前記カプセル剤との接触を緩和するように迂回する迂回部を有している。
【０００８】
斯かる構成によれば、前記開封補助線が前記収容部と前記シール部との境界線と交差する二点を結ぶ仮想線が、前記錠剤または前記カプセル剤と重なっているものの、前記開封補助線は、前記錠剤または前記カプセル剤との接触を緩和するように迂回する迂回部を有しているので、開封の際に、前記錠剤または前記カプセル剤によって開封が阻害されることが低減される。そのため、前記包装体を開封し易い。
また、前記仮想線が前記錠剤または前記カプセル剤と重なっており、かつ前記開封補助線は、前記錠剤または前記カプセル剤との接触を緩和する迂回部を有しているので、比較的、前記錠剤または前記カプセル剤に近い位置から前記包装体を開封することができる。そのため、開封後に前記収容部から前記錠剤または前記カプセル剤を取り出し易い。
【０００９】
また、上記包装体においては、
前記仮想線は、前記錠剤または前記カプセル剤の中央部を通っており、
前記迂回部は、前記錠剤または前記カプセル剤の中央部を通っていないことが好ましい。
【００１０】
斯かる構成によれば、前記仮想線は、前記錠剤または前記カプセル剤の中央部を通っており、前記迂回部は、前記錠剤または前記カプセル剤の中央部を通っていないので、開封の際に、前記錠剤または前記カプセル剤によって開封が阻害されることを抑制しつつ、前記錠剤または前記カプセル剤により近い位置から、開封することができる。また、開封後に前記収容部内に前記錠剤または前記カプセル剤を適度に保持することができる。
そのため、開封後に、前記収容部からの前記錠剤または前記カプセル剤の飛び出しを抑制しつつ、前記収容部から前記錠剤または前記カプセル剤を取出し易くすることができる。
【００１１】
また、上記包装体においては、
前記開封補助線は、前記錠剤または前記カプセル剤と接触していないことが好ましい。
【００１２】
斯かる構成によれば、前記開封補助線は、前記錠剤または前記カプセル剤と接触していないので、開封の際に、前記錠剤または前記カプセル剤によって開封が阻害されることがない。
そのため、前記包装体をより開封し易い。
【００１３】
また、上記包装体においては、
前記収容部は、前記シートの上方から見た形状が円形状となっていることが好ましい。
【００１４】
前記シートの上方から見た前記収容部の形状が円形状の場合には、前記収容部の端部は、円弧をなしていることから、前記開封補助線が前記収容部の端部を横断するように備えられると、前記開封補助線は収容部の円弧部分を横断することとなる。そのため、開封後に前記収容部に形成される開口は小さくなる。
しかしながら、斯かる構成によれば、前記開封補助線が前記収容部の中央部を迂回している分だけ、開封後に前記収容部に形成される開口を大きくすることができる。
そのため、前記収容部から前記錠剤または前記カプセル剤を取り出し易くすることができる。
【発明の効果】
【００１５】
以上のように、本発明によれば、開封し易く、かつ錠剤またはカプセル剤を取り出し易い包装体が提供される。
【図面の簡単な説明】
【００１６】
【図１】本発明の一実施形態に係る包装体の構成を一方面側から示した平面図。
【図２】本発明の一実施形態に係る包装体の構成を他方面側から示した平面図。
【図３】本発明の一実施形態に係る包装体の開封途中の状態を示した斜視図。
【図４】一錠の錠剤を取出せる状態まで、本発明の一実施形態に係る包装体を開封した状態を示した斜視図。
【図５】本発明の他の実施形態に係る包装体の構成を一方面側から示した平面図。
【図６】本発明のさらに他の実施形態に係る包装体の構成を一方面側から示した平面図。
【図７】本発明のさらに他の実施形態に係る包装体の構成を一方面側から示した平面図。
【発明を実施するための形態】
【００１７】
以下、本発明の一実施形態に係る包装体について、図面を参照しながら説明する。以下では、包装体の収容部に錠剤を収容した場合の例について説明する。
【００１８】
本発明の一実施形態に係る包装体１は、図１及び２に示したように、二枚のシート１０、２０をシールして構成されたＳＰ包装体である。本実施形態に係る包装体１は、長方形状をなしている。シート１０、２０としては、例えば、樹脂コートされたシート状のアルミ箔などが挙げられる。二枚のシート１０、２０のシールは、例えば、ヒートシールなどで行うことができる。
【００１９】
本実施形態に係る包装体１は、錠剤５０を収容する収容部４０と、収容部４０を囲むシール部３０と、備える。すなわち、本実施形態に係る包装体１では、シール部３０以外の部分が収容部４０となっている。本実施形態に係る包装体１では、図１及び２に示したように、二枚のシート１０、２０は、シート１０、２０の上方から見た収容部４０の形状が円形状となるようにシールされている。
【００２０】
本実施形態では、錠剤５０は、その中心が収容部４０の中心と略一致するように収容されている。
一般に、二枚のシートをシールして構成されたＳＰ包装体は、二枚のシートの間に保持させた錠剤などの被収容物の厚みによって、シールされたときに二枚のシートがそれぞれ外方に広げられて、収容部が形成される。そのため、錠剤などの被収容物は、その中心が収容部の中心と略一致するように収容されることが多い。
錠剤５０としては、薬、サプリメントなどが挙げられる。
【００２１】
本実施形態に係る包装体１は、図１及び２に示したように、複数の錠剤５０をそれぞれ個別に収容する複数の収容部４０を備えている。本実施形態に係る包装体１では、複数の収容部４０は、長手方向に沿って二列に備えられている。
【００２２】
包装体１は、収容部４０を横断する開封補助線６０を備えている。包装体１では、開封補助線６０は、錠剤５０との接触を緩和するように迂回する迂回部６０ａを有している。包装体１では、開封補助線６０が収容部４０とシール部３０との境界線Ｌ１と交差する二点を結ぶ仮想線Ｌ２は、錠剤５０の中央部を通っており、迂回部６０ａは、錠剤５０の中央部を通っていない。錠剤５０の中央部とは、錠剤５０の中心から錠剤５０の周端縁に向かって放射状に延びる線分の、中心から１／４までの領域を意味する。なお、収容部４０にカプセル剤を収容した場合であっても、錠剤と記載された箇所をカプセル剤と読み替えることにより、上記定義は適用される。
【００２３】
本実施形態では、開封補助線６０の迂回部６０ａは、錠剤５０と接触していない。また、本実施形態では、開封補助線６０の迂回部６０ａ以外の部分すなわち、開封補助線６０の直線部６０ｂも、錠剤５０と接触していない。すなわち、本実施形態では、開封補助線６０は、錠剤５０と接触していない。上記のごとく開封補助線６０が錠剤５０と接触していないことから、錠剤５０に、切断したフィルムが当たることなく、包装体１を開封することができる。また、開封補助線６０が錠剤５０と接触していないことから、包装体１の開封後に、フィルムからの錠剤５０の露出部分を比較的少なくすることができる。そのため、錠剤５０の服用時に、服用者の手指が錠剤５０に触れ難くなるので、衛生面に優れる。なお、服用者が錠剤５０を服用する場合には、服用者は、収容部４０から錠剤５０を押出して服用する。
また、錠剤５０が割線を有しており、かつ１錠を複数回に分けて服用するものである場合には、開封補助線を上記構成とすれば、錠剤５０の露出部分を比較的少なくすることができるので、１回の服用後に残りの錠剤５０を服用するまでの間、残りの錠剤５０を比較的衛生的に保管することができる。
本実施形態では、錠剤５０が丸錠であることから、迂回部６０ａは、錠剤５０を迂回するように円弧状をなしている。
【００２４】
上記のように、本実施形態に係る包装体１では、複数の収容部４０は、長手方向に沿って二列に備えられていることから、二列に備えられた各収容部４０は、錠剤５０と接触しない開封補助線６０をそれぞれ備えている。これらの開封補助線６０同士は連続するように接続されている。詳しくは、一方の列４０ａ及び他方の列４０ｂの各開封補助線６０同士が連続し、かつこの連続した開封補助線６０同士も連続するように接続されている
本実施形態に係る包装体１では、開封補助線６０が上記のように構成されていることから、一方の列４０ａの各収容部４０の全てから錠剤５０を取出した後、直ちに他方の列４０ｂの収容部４０から錠剤５０を取出すことができる。
【００２５】
本実施形態に係る包装体１では、開封補助線６０は、シート１０及びシート２０の外表面の面対称となる位置にそれぞれ備えられている。開封補助線６０としては、例えば、レーザによって形成されるハーフカット線やミシン目などが挙げられる。
【００２６】
上記のごとく構成された包装体１は、樹脂コートされている面が向かい合うように配された二枚のシートの間に錠剤５０を保持させた状態で、二枚のシートの所定領域をヒートシールなどでシールすることにより、得ることができる。
なお、上記のように、二枚のシート１０、２０の間に保持させた錠剤５０の厚みによって、シールされたときに二枚のシート１０、２０がそれぞれ外方に広げられて、収容部４０が形成される。
【００２７】
次に、本実施形態に係る包装体１の使用例について、図３及び４を参照しながら説明する。
【００２８】
まず、図３に示したように、一方の列４０ａ側の長手方向の一端側の端縁（一端縁７０）から、長手方向の他端側に向かって、開封補助線６０に沿った開封を開始する。開封補助線６０に沿って開封し続けると、開封位置は、長手方向の一端側に最も近い位置にある収容部４０まで到達する。
【００２９】
次に、さらに開封補助線６０に沿って、錠剤５０と接触しないように開封し続けることにより、図４に示したように、長手方向の一端側に最も近い位置にある収容部４０から、錠剤５０を取出すための開口８０が形成される。
これにより、包装体１の開封者は、長手方向の一端側に最も近い位置にある収容部４０の開口８０から錠剤５０を取出すことができる。
包装体１の開封者が錠剤５０を複数取出す必要がある場合には、開封補助線６０に沿って、さらに開封を継続させる。
【００３０】
本発明に係る包装体は、上記実施形態の構成に限定されるものではない。また、本発明に係る包装体は、上記した作用効果により限定されるものでもない。本発明に係る包装体は、本発明の要旨を逸脱しない範囲で種々の変更が可能である。
【００３１】
上記実施形態では、一方の列４０ａ及び他方の列４０ｂの各開封補助線６０同士が連続し、かつこの連続した開封補助線６０同士も連続するように接続されている例について説明したが、開封補助線６０の構成はこれに限られるものではない。図５に示したように、開封補助線６０は、一方の列４０ａ側及び他方の列４０ｂ側のみで、各開封補助線６０同士が連続するように構成されていてもよい。開封補助線６０をこのように構成することにより、長手方向の一端側および他端側の何れの側からでも、包装体１を開封することができる。
【００３２】
上記実施形態では、開封手段として、包装体１に開封補助線６０のみを備える例について説明したが、開封手段の構成はこれに限られるものではない。開封手段は、図６に示したように、長手方向の一端縁７０側に、開封補助線６０と接続される開封開始部９０を備えていてもよい。開封開始部９０は、図６に示したように、一方の列４０ａの開封補助線６０の直線部６０ｂの位置に相当する長手方向の一端縁７０側の位置と、他方の列４０ｂの開封補助線６０の直線部６０ｂの位置に相当する長手方向の一端縁７０側の位置とに配されていてもよい。このように、開封開始部９０を備えることにより、長手方向の一端縁７０側からの包装体１の開封を比較的容易に行うことができる。
【００３３】
上記実施形態では、一方の列４０ａ及び他方の列４０ｂの各開封補助線６０同士が連続し、かつこの連続した開封補助線６０同士も連続するように接続されている例について説明したが、開封補助線６０の構成はこれに限られるものではない。図７に示したように、開封補助線６０は、包装体１の短手方向に沿って、錠剤５０と接触しないように構成されていてもよい。開封補助線６０をこのように構成する場合、短手方向に隣り合う錠剤５０とそれぞれ接触しないように構成される各開封補助線６０同士は、互いに接続されていてもよい。また、開封補助線６０を上記のように構成する場合、図７に示したように、包装体１の短手方向の両端縁側に、開封補助線６０と接続される開封開始部９０を備えていてもよい。さらに、開封補助線６０を上記のように構成する場合、図７に示したように、シート１０、２０の外表面に、収容部４０ごとにシート１０、２０の分割を補助できるような分割補助線１００を備えていてもよい。分割補助線１００としては、例えば、レーザによって形成されるハーフカット線やミシン目などが挙げられる。
【００３４】
上記実施形態では、錠剤５０が丸錠であることから、開封補助線６０の迂回部６０ａの形状が円弧状である例について説明したが、迂回部６０ａの形状は円弧状に限られない。収容部４０に収容する錠剤５０の形状等によって、適宜変更することができる。
【００３５】
上記実施形態では、収容部４０を横断する開封補助線６０の本数が１本の例について説明したが、収容部４０を横断する開封補助線６０の本数はこれに限られない。収容部４０を横断する開封補助線６０の本数は、２本以上であってもよい。
【符号の説明】
【００３６】
１  包装体、
１０  シート、２０  シート、３０  シール部、４０  収容部、５０  錠剤、６０  開封補助線、７０  一端縁、８０  開口、９０  開封開始部、１００  分割補助線、
４０ａ  一方の列、４０ｂ  他方の列、６０ａ  迂回部、６０ｂ  直線部、
Ｌ１  境界線、Ｌ２  仮想線。
【図１】
2020001714.tif 000003
【図２】
2020001714.tif 000004
【図３】
2020001714.tif 000005
【図４】
2020001714.tif 000006
【図５】
2020001714.tif 000007
【図６】
2020001714.tif 000008
【図７】
2020001714.tif 000009